【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】  直流電源をステップダウンして所定のデバイスに出力する直流電圧変換手段と、該直流電圧変換手段を含む所定のデバイスへの電源の供給を制御する電源供給制御回路とを有し、省エネモード時に、前記電源供給制御回路が、前記直流電圧変換手段への電源の供給を遮断することを特徴とする画像処理装置。
【請求項２】  請求項１に記載の画像処理装置において、動作モードに応じてＣＰＵおよびＳＤＲＡＭへの供給クロック周波数と前記ＣＰＵの内部動作クロック周波数とを制御するＣＰＵ／ＳＤＲＡＭクロック制御回路と、前記ＳＤＲＡＭの使用状況に応じて該ＳＤＲＡＭの消費電力を制御するＳＤＲＡＭパワーダウン制御回路とを有し、省エネモード時に、前記ＣＰＵ／ＳＤＲＡＭクロック制御回路が、前記ＣＰＵおよび前記ＳＤＲＡＭへの供給クロック周波数と前記ＣＰＵの内部動作クロック周波数とを最小に設定し、前記ＳＤＲＡＭパワーダウン制御回路が、前記ＳＤＲＡＭの消費電力を抑えることを特徴とする画像処理装置。
【請求項３】  請求項１または２に記載の画像処理装置において、データの受信を検出するデータ受信検出回路を有し、省エネモード時に、データ受信が検出された時は、前記電源供給制御回路が、前記直流電圧変換手段への電源供給の遮断を解除することを特徴とする画像処理装置。
【手続補正３】
【補正対象書類名】明細書
【補正対象項目名】０００１
【補正方法】変更
【補正の内容】
【０００１】
【発明の属する技術分野】
本発明は、画像処理装置、より詳細には、省エネモードを有する画像処理装置に関する。
【手続補正４】
【補正対象書類名】明細書
【補正対象項目名】０００３
【補正方法】変更
【補正の内容】
【０００３】
【発明が解決しようとする課題】
しかしながら、上述のような構成の場合、サブＣＰＵおよび検出に必要な回路への電源供給は必要であり、更にサブＣＰＵの消費電力を抑えるためには、低電圧動作で動作速度を遅くする必要があるが、ＰＳＵ供給電圧より低電圧の場合には、直流電圧変換手段での損失が発生することになる。
【手続補正５】
【補正対象書類名】明細書
【補正対象項目名】０００４
【補正方法】変更
【補正の内容】
【０００４】
本発明は、上述のような実情を考慮してなされたもので、サブＣＰＵを設けず、直流電圧変換手段への電源供給を遮断し、メインＣＰＵへの電源供給も止めることによって必要最低限の電源供給でのシステムの駆動が可能で、また、動作モードによってデータアクセス領域およびクロック制御を変えることによって待機時にも従来以上の省エネ効果をあげることが可能な画像処理装置を提供することを目的としてなされたものである。
【手続補正６】
【補正対象書類名】明細書
【補正対象項目名】０００５
【補正方法】変更
【補正の内容】
【０００５】
【課題を解決するための手段】
請求項１の発明は、直流電源をステップダウンして所定のデバイスに出力する直流電圧変換手段と、該直流電圧変換手段を含む所定のデバイスへの電源の供給を制御する電源供給制御回路とを有し、省エネモード時に、前記電源供給制御回路が、前記直流電圧変換手段への電源の供給を遮断することを特徴としたものである。
【手続補正７】
【補正対象書類名】明細書
【補正対象項目名】０００７
【補正方法】変更
【補正の内容】
【０００７】
請求項３の発明は、請求項１または２の発明において、データの受信を検出するデータ受信検出回路を有し、省エネモード時に、データ受信が検出された時は、前記電源供給制御回路が、前記直流電圧変換手段への電源供給の遮断を解除することを特徴としたものである。
【手続補正８】
【補正対象書類名】明細書
【補正対象項目名】０００８
【補正方法】変更
【補正の内容】
【０００８】
【発明の実施の形態】
図１は、本発明による画像処理装置の一実施例を説明するための装置構成のブロック図である。以下、実施例に係る画像処理装置をプリンタ装置として説明するがこれに限るものではない。図中、１はＰＳＵ（電力供給ユニット）、２は電源供給制御回路、３，４は直流電圧変換手段（ＤＣ／ＤＣコンバータ回路）、５はＮＶＲＡＭ、６はＦＬＡＳＨ−ＲＯＭ、７はＦＯＮＴ−ＲＯＭ、８はＣＰＵ／ＳＤＲＡＭクロック制御回路、９はＣＰＵ、１０は画像処理制御手段（プリンタコントロールＬＳＩ）、１１はＳＤＲＡＭ、１２はＳＤＲＡＭパワーダウン制御回路、１３はＥＮＧＩＮＥ−Ｉ／Ｆ、１４はデータ着呼検出回路、１５はＮＥＴＷＯＲＫ−Ｉ／Ｆ回路、１６はセントロニクスＩ／Ｆ、１７はネットワークハブ、１８，１９，２０，２１はパソコン、２２は画像処理エンジン（プリンタエンジン）である。
【手続補正９】
【補正対象書類名】明細書
【補正対象項目名】０００９
【補正方法】変更
【補正の内容】
【０００９】
ＰＳＵ１は、機器に必要な直流電源を商用電源（１００Ｖ）から変換して供給しており、コントローラボードへは＋３.３Ｖ電源を供給している。電源供給制御回路２は、ＰＳＵ１から供給される＋３.３Ｖ電源を必要に応じてパワーリレー，パワーＭＯＳＦＥＴ等でＯＮ／ＯＦＦして各デバイスへの供給を制御している。直流電圧変換手段３は、電源供給制御回路２から供給された＋３.３Ｖ電源を変換して＋２.５Ｖを出力しており、ＣＰＵ９または画像処理制御手段１０に電源を供給している。直流電圧変換手段４は、直流電圧変換手段３から出力される＋２.５Ｖ電源を更に変換して＋１.８Ｖを出力しており、ＣＰＵ９の内部コアに電源を供給している。
【手続補正１０】
【補正対象書類名】明細書
【補正対象項目名】００１２
【補正方法】変更
【補正の内容】
【００１２】
ＣＰＵ９は、コントローラボードのシステムを制御しており、内部動作周波数等のイニシャライズは、ＣＰＵリセット解除後、ＥＥＰＲＯＭよりコンフィグデータを読み込むことで設定を行っている。画像処理制御手段１０は、ＣＰＵ−Ｉ／Ｆ，ＳＤＲＡＭ−Ｉ／Ｆ，ＥＮＧＩＮＥ−Ｉ／Ｆ，ＮＥＴＷＯＲＫ−Ｉ／Ｆ，ローカルバスＩ／Ｆ，割込み制御，セントロニクスＩ／Ｆ，ＶＩＤＥＯ−ＤＭＡ制御等の機能を内蔵している。
【手続補正１１】
【補正対象書類名】明細書
【補正対象項目名】００１３
【補正方法】変更
【補正の内容】
【００１３】
ＳＤＲＡＭ１１は、ホストＰＣから送られてくるコマンドからの画像データの描画，ファームウェアの実行を行っている。データバスは１００ＭＨｚになっており、高速なデータアクセスが可能となっている。ＳＤＲＡＭパワーダウン制御回路１２は、待機時等でＳＤＲＡＭ１１が使用されていない状態を検知してＳＤＲＡＭ１１のＣＫＥ端子をＨ（ハイ）からＬ（ロー）にし、ＳＤＲＡＭ１１をパワーダウンモードに移行させて消費電力を抑えている。ＥＮＧＩＮＥ−Ｉ／Ｆ１３は、画像処理制御手段１０のビデオ端子と外部の画像処理エンジン２２とのレベル変換を行っており、画像処理エンジン２２側のレベルが＋５Ｖの場合には、画像処理制御手段１０の出力を＋３Ｖ→＋５Ｖ、入力を＋５Ｖ→＋３Ｖへのレベル変換、および、ゲートの制御を行っている。
【手続補正１２】
【補正対象書類名】明細書
【補正対象項目名】００１４
【補正方法】変更
【補正の内容】
【００１４】
データ着呼検出回路１４は、セントロニクスＩ／Ｆ１６からデータの受信があった場合、および、ＮＥＴＷＯＲＫ−Ｉ／Ｆ回路１５からデータの受信があった場合に、検出フラグを立て、セントロニクスＩ／Ｆ１６からの受信時は、ホストＰＣからのＳｔｒｏｂｅ信号がＬになることを検出して、Ｂｕｓｙ，Ａｃｋ信号をホスト側に出力している。受信したデータは、ゲートアレイ内のレジスタに保持され、レジスタ内のデータがＦＵＬＬになると、Ｂｕｓｙ状態をホストＰＣ側に通知してＣＰＵ９，画像処理制御手段１０が復帰するのを待っている。また、ＮＥＴＷＯＲＫ−Ｉ／Ｆ回路１５からデータを受信した場合には、ＮＥＴＷＯＲＫ−Ｉ／Ｆ回路１５からデータ着呼検出回路１４内の特定レジスタにアクセスしてもらい、データ受信のフラグを立てることによってデータ受信検出を行っている。
【手続補正１３】
【補正対象書類名】明細書
【補正対象項目名】００１５
【補正方法】変更
【補正の内容】
【００１５】
ＮＥＴＷＯＲＫ−Ｉ／Ｆ回路１５は、ＰＨＹチップ，ファームウェア格納ＥＥＰＲＯＭ，トランス等で構成されており、装置とＬＡＮとの接続を可能としている。セントロニクスＩ／Ｆ１６は、ホストＰＣと画像処理制御手段１０およびデータ着呼検出回路１４との信号のレベル変換を行っている。尚、１７はＬＡＮに接続するためのネットワークハブで、１８〜２０はＬＡＮに接続されているホストＰＣである。
【手続補正１４】
【補正対象書類名】明細書
【補正対象項目名】００１６
【補正方法】変更
【補正の内容】
【００１６】
電源投入時、まず、ＰＳＵ１からコントローラボードに＋３.３Ｖ電源が供給され、電源供給制御回路２は、スイッチＯＮにして供給された電源をそのまま各デバイスに供給する。更に、直流電圧変換手段３および直流電圧変換手段４で、それぞれ＋２.５Ｖおよび＋１.８Ｖが生成され、システムが起動する。画像処理制御手段１０がまず最初に立ち上がり、立ち上げシーケンスにより、ＣＰＵ９および各デバイスのリセットが解除されて動作が行なわれる。ＣＰＵ９が動作すると、まず最初にベクターアドレスが呼び出されるが、その領域は、ＦＬＡＳＨ−ＲＯＭ６にアサインされているので、ＦＬＡＳＨ−ＲＯＭ６に格納されているファームウェアが実行される。
【手続補正１５】
【補正対象書類名】明細書
【補正対象項目名】００１９
【補正方法】変更
【補正の内容】
【００１９】
最後に、省エネモード時の動作であるが、省エネモード時は、極力電源供給を抑えるために、ＰＳＵ１から供給される電源のみをＯＮとしておき、電源供給制御回路２のスイッチをＯＦＦすることにより、ＣＰＵ９，画像処理制御手段１０，各デバイスへの電源供給を停止する。ＰＳＵ１より電源供給されるのは、電源供給制御回路２，データ着呼検出回路１４，ＮＥＴＷＯＲＫ−Ｉ／Ｆ回路１５と画像処理制御手段１０のＮＥＴＷＯＲＫ−Ｉ／Ｆ回路部分および操作部ＬＥＤ表示回路，操作部キー取込回路のみであり、それ以外のデバイスには、電源が供給されない。
【手続補正１６】
【補正対象書類名】明細書
【補正対象項目名】００２０
【補正方法】変更
【補正の内容】
【００２０】
省エネモードに移行すると、操作部の省エネＬＥＤが点灯する。省エネモードから復帰するには、データ着呼検出回路１４でデータの着呼を検出した場合か、もしくは、画像処理制御手段１０の操作部キー取込回路でキー入力を検出した場合のみである。検出されると、すぐに電源供給制御回路２の電源供給スイッチをＯＮにして各デバイスへの電源を供給する。省エネ時は、ほとんど電力を消費しないロジック回路への電源供給のみになるので、従来以上の省エネ効果をあげることができる。
【手続補正１７】
【補正対象書類名】明細書
【補正対象項目名】００２１
【補正方法】変更
【補正の内容】
【００２１】
図２は、本発明による画像処理装置の動作の一実施例を説明するためのフローチャートで、画像処理装置の電源がＯＮされると、ＰＳＵ１と電源供給制御回路２の出力がＯＮされる（Ｓ１）。ＣＰＵ／ＳＤＲＡＭクロック制御回路８は、動作モードに応じて、ＣＰＵ９，ＳＤＲＡＭ１１への供給クロック周波数とＣＰＵ内部動作クロック周波数を設定する（Ｓ２）。待機状態において（Ｓ３）、優先モード（高速優先モード，省エネ優先モード）が変更されたならば（Ｓ４のＹＥＳ）、ＣＰＵ９，ＳＤＲＡＭ１１への供給クロック周波数の設定情報を書き換え（Ｓ９）、ＣＰＵ内部動作クロック周波数の設定情報を書き換えた後（Ｓ１０）、システムリセットがＯＮ（Ｓ１１）される。ＣＰＵ９，ＳＤＲＡＭ１１への供給クロック周波数とＣＰＵ内部動作クロック周波数が設定され（Ｓ１２）、待機状態に戻る（Ｓ３）。
【手続補正１８】
【補正対象書類名】明細書
【補正対象項目名】００２２
【補正方法】変更
【補正の内容】
【００２２】
優先モードが変更されなくて（Ｓ４のＮＯ）、省エネモードに移行したならば（Ｓ５のＹＥＳ）、電源供給制御回路２からの直流電圧変換手段３への電源供給がＯＦＦされる（Ｓ６）。データを検出したならば（Ｓ７のＹＥＳ）、電源供給制御回路２からの電源供給がＯＮされ（Ｓ８）、待機状態に戻る（Ｓ３）。
【手続補正１９】
【補正対象書類名】明細書
【補正対象項目名】００２３
【補正方法】変更
【補正の内容】
【００２３】
【発明の効果】
直流電圧変換手段への電源供給を制御する電源供給制御回路により、省エネモード時の電源を必要最低限に抑えることができるので、従来以上の省エネ効果をあげることが可能である。
【手続補正２０】
【補正対象書類名】明細書
【補正対象項目名】図面の簡単な説明
【補正方法】変更
【補正の内容】
【図面の簡単な説明】
【図１】  本発明による画像処理装置の一実施例を説明するための装置構成のブロック図である。
【図２】  本発明による画像処理装置の動作の一実施例を説明するためのフローチャートである。
【符号の説明】
１…ＰＳＵ、２…電源供給制御回路、３，４…直流電圧変換手段（ＤＣ／ＤＣコンバータ回路）、５…ＮＶＲＡＭ、６…ＦＬＡＳＨ−ＲＯＭ、７…ＦＯＮＴ−ＲＯＭ、８…ＣＰＵ／ＳＤＲＡＭクロック制御回路、９…ＣＰＵ、１０…画像処理制御手段（プリンタコントロールＬＳＩ）、１１…ＳＤＲＡＭ、１２…ＳＤＲＡＭパワーダウン制御回路、１３…ＥＮＧＩＮＥ−Ｉ／Ｆ、１４…データ着呼検出回路、１５…ＮＥＴＷＯＲＫ−Ｉ／Ｆ回路、１６…セントロニクスＩ／Ｆ、１７…ネットワークハブ、１８，１９，２０，２１…パソコン、２２…画像処理エンジン（プリンタエンジン）。
【手続補正２１】
【補正対象書類名】図面
【補正対象項目名】図１
【補正方法】変更
【補正の内容】
【図１】
2001353930.tif 000001
【手続補正２２】
【補正対象書類名】図面
【補正対象項目名】図２
【補正方法】変更
【補正の内容】
【図２】
2001353930.tif 000002